【手続補正書】
【提出日】平成15年9月29日(2003.9.29)
【手続補正１】
【補正対象書類名】明細書
【補正対象項目名】発明の名称
【補正方法】変更
【補正の内容】
【発明の名称】情報記録媒体並びに情報再生装置及び情報再生方法


【手続補正２】
【補正対象書類名】明細書
【補正対象項目名】特許請求の範囲
【補正方法】変更
【補正の内容】
【特許請求の範囲】
【請求項１】
オーディオ領域と、ビデオ領域と、を有する情報記録媒体であって、
前記オーディオ領域には、
前記オーディオ領域の管理情報と、
オーディオ情報と当該オーディオ情報を再生するための再生制御情報とから構成されるオーディオタイトルセットと、
が記録されており、
前記ビデオ領域には、
前記ビデオ領域の管理情報と、
ビデオ情報と当該ビデオ情報を再生するための再生制御情報とから構成されるビデオタイトルセットと、
が記録されていることを特徴とする情報記録媒体。
【請求項２】
前記オーディオ領域は前記ビデオ領域より前方に記録されていることを特徴とする請求項１に記載の情報記録媒体。
【請求項３】
前記オーディオ情報は、トラック、タイトル及びタイトルグループからなるオーディオ論理フォーマットにより記録されており、
前記ビデオ情報は、プログラム及びタイトルからなるビデオ論理フォーマットにより記録されていることを特徴とする請求項１又は２に記載の情報記録媒体。
【請求項４】
前記オーディオ論理フォーマットのタイトルは、オーディオオンリータイトルとオーディオタイトルに区分され、
前記ビデオ論理フォーマットのタイトルはビデオタイトルであることを特徴とする請求項３に記載の情報記録媒体。
【請求項５】
請求項１乃至４のいずれか１に記載の情報記録媒体から情報を再生する情報再生装置において、
前記情報記録媒体から記録情報を読み取る手段と、
前記ビデオ領域の管理情報及び前記ビデオ情報の再生制御情報に基づく再生を行う再生手段と、
を備えることを特徴とする情報再生装置。
【請求項６】
請求項１乃至４のいずれか１に記載の情報記録媒体から情報を再生する情報再生装置において、
前記情報記録媒体から記録情報を読み取る手段と、
前記オーディオ領域の管理情報及び前記オーディオ情報の再生制御情報に基づく再生を行う再生手段と、
を備えることを特徴とする情報再生装置。
【請求項７】
請求項１乃至４のいずれか１に記載の情報記録媒体から情報を再生する情報再生方法において、
前記情報記録媒体から記録情報を読み取る工程と、
前記ビデオ領域の管理情報及び前記ビデオ情報の再生制御情報に基づく再生を行う再生工程と、
を備えることを特徴とする情報再生方法。
【請求項８】
請求項１乃至４のいずれか１に記載の情報記録媒体から情報を再生する情報再生方法において、
前記情報記録媒体から記録情報を読み取る工程と、
前記オーディオ領域の管理情報及び前記オーディオ情報の再生制御情報に基づく再生を行う再生工程と、
を備えることを特徴とする情報再生方法。
【手続補正３】
【補正対象書類名】明細書
【補正対象項目名】０００７
【補正方法】変更
【補正の内容】
【０００７】
【課題を解決するための手段】
上記の課題を解決するため、請求項１に記載の発明は、オーディオ領域と、ビデオ領域と、を有する情報記録媒体であって、前記オーディオ領域には、前記オーディオ領域の管理情報と、オーディオ情報と当該オーディオ情報を再生するための再生制御情報とから構成されるオーディオタイトルセットと、が記録されており、前記ビデオ領域には、前記ビデオ領域の管理情報と、ビデオ情報と当該ビデオ情報を再生するための再生制御情報とから構成されるビデオタイトルセットと、が記録されている。


【手続補正４】
【補正対象書類名】明細書
【補正対象項目名】０００８
【補正方法】変更
【補正の内容】
【０００８】
上記の課題を解決するため、請求項５に記載の発明は、請求項１乃至４のいずれか１に記載の情報記録媒体から情報を再生する情報再生装置において、前記情報記録媒体から記録情報を読み取る手段と、前記ビデオ領域の管理情報及び前記ビデオ情報の再生制御情報に基づく再生を行う再生手段と、を備える。
【手続補正５】
【補正対象書類名】明細書
【補正対象項目名】０００９
【補正方法】変更
【補正の内容】
【０００９】
上記の課題を解決するため、請求項６に記載の発明は、請求項１乃至４のいずれか１に記載の情報記録媒体から情報を再生する情報再生装置において、前記情報記録媒体から記録情報を読み取る手段と、前記オーディオ領域の管理情報及び前記オーディオ情報の再生制御情報に基づく再生を行う再生手段と、を備える。
【手続補正６】
【補正対象書類名】明細書
【補正対象項目名】００１０
【補正方法】変更
【補正の内容】
【００１０】
上記の課題を解決するため、請求項７に記載の発明は、請求項１乃至４のいずれか１に記載の情報記録媒体から情報を再生する情報再生方法において、前記情報記録媒体から記録情報を読み取る工程と、前記ビデオ領域の管理情報及び前記ビデオ情報の再生制御情報に基づく再生を行う再生工程と、を備える。
【手続補正７】
【補正対象書類名】明細書
【補正対象項目名】００１１
【補正方法】変更
【補正の内容】
【００１１】
上記の課題を解決するため、請求項８に記載の発明は、請求項１乃至４のいずれか１に記載の情報記録媒体から情報を再生する情報再生方法において、前記情報記録媒体から記録情報を読み取る工程と、前記オーディオ領域の管理情報及び前記オーディオ情報の再生制御情報に基づく再生を行う再生工程と、を備える。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】０１５３
【補正方法】削除
【補正の内容】
【手続補正２１】
【補正対象書類名】明細書
【補正対象項目名】０１５４
【補正方法】削除
【補正の内容】
【手続補正２２】
【補正対象書類名】明細書
【補正対象項目名】０１５５
【補正方法】削除
【補正の内容】
【手続補正２３】
【補正対象書類名】明細書
【補正対象項目名】０１５６
【補正方法】削除
【補正の内容】
【手続補正２４】
【補正対象書類名】明細書
【補正対象項目名】０１５７
【補正方法】削除
【補正の内容】
【手続補正２５】
【補正対象書類名】明細書
【補正対象項目名】０１５８
【補正方法】削除
【補正の内容】
【手続補正２６】
【補正対象書類名】明細書
【補正対象項目名】０１５９
【補正方法】削除
【補正の内容】
【手続補正２７】
【補正対象書類名】明細書
【補正対象項目名】０１６０
【補正方法】削除
【補正の内容】